(57)【特許請求の範囲】
【請求項１】
第１および第２の少なくとも２枚の液晶パネルを含み、上記各液晶パネルを背合わせ状態に配置して、それらの観察方向を互いに反対向きとした液晶表示装置において、
上記各液晶パネルの駆動部品が実装されたフレキシブル基板からなる制御基板を有し、上記制御基板の少なくとも異なる２辺からパネル接続片がそれぞれ一体的に引き出されており、上記第１液晶パネルおよび上記第２液晶パネルが上記制御基板の異なる面側に配置され、上記パネル接続片の各々が折り曲げられて対応する上記第１液晶パネルの端子部と上記第２液晶パネルの端子部とに接続されていることを特徴とする液晶表示装置。
【請求項２】
上記各パネル接続片が上記制御基板の隣接する２辺から引き出されており、その内の一方のパネル接続片がＬ字状に形成されていて、その根元部分から上記制御基板のいずれか一方の面側に折り曲げられている請求項１に記載の液晶表示装置。
【請求項３】
上記各パネル接続片が上記制御基板の隣接する２辺から引き出されており、その内の一方のパネル接続片が途中でＬ字状に折り曲げられ、さらにその根元部分から上記制御基板のいずれか一方の面側に折り曲げられている請求項１に記載の液晶表示装置。
【請求項４】
第１および第２の少なくとも２つの液晶パネルを含み、上記各液晶パネルを背合わせ状態に配置して、それらの観察方向を互いに反対向きとした液晶表示装置において、
上記各液晶パネルの駆動部品が実装されたフレキシブル基板からなる制御基板を有し、上記制御基板には、その基板面内に上記第２液晶パネルを嵌合配置し得る開口部が穿設されているとともに、上記開口部の内縁と上記制御基板の外側辺とにパネル接続片がそれぞれ一体的に形成されており、上記第２液晶パネルが上記開口部内に配置され、その端子部に上記開口部内縁のパネル接続片が接続されており、上記第１液晶パネルは、その観察面を上記第２液晶パネルの観察面と反対向きとして上記制御基板のいずれか一方の面側に配置され、その端子部に上記外側辺のパネル接続片が折り曲げられて接続されていることを特徴とする液晶表示装置。
【発明の詳細な説明】
【０００１】
【発明の属する技術分野】
本発明は、液晶表示装置に関し、さらに詳しく言えば、例えば２枚の液晶パネルを背合わせ状態に配置して、それらの観察方向を互いに反対向きとした液晶表示装置に関するものである。
【０００２】
【従来の技術】
携帯電話機を例にして説明すると、最近における折り畳み式携帯電話機の一部機種には、その蓋体の内側面と外側面の双方に液晶パネルからなる表示部が設けられている。その液晶パネルの組み合わせ例を図５に示す。
【０００３】
この例において、一方の第１液晶パネルＡが蓋体の内側面に配置される表示容量の大きなメインパネルで、他方の第２液晶パネルＢが蓋体の外側面に配置される表示容量の小さなサブパネルであり、このサブパネルとしての第２液晶パネルＢには、バッテリマーク，アンテナマーク，着信表示マークなどのアイコンや時間などが表示されるようになっている。
【０００４】
液晶パネルを点灯させるには、各パネルごとに液晶駆動部品などが実装された制御基板を必要とするが、この例のように、第１液晶パネルＡと第２液晶パネルＢとを背合わせ状態で使用する場合、制御基板１を共用し、その各面に液晶パネルＡ，Ｂを配置して、それらを例えばＴＣＰ（Ｔａｐｅ  Ｃａｒｒｉｅｒ  Ｐａｃｋａｇｅ）などのフレキシブル基板２ａ，２ｂを介して制御基板１に接続するようにしている。
【０００５】
【発明が解決しようとする課題】
これによれば、制御基板１を１枚で済ませられるが、フレキシブル基板２ａ，２ｂの両端を液晶パネルＡ，Ｂの各端子部と制御基板１とに接続する必要があるため、接続箇所が合計で４箇所となり、その分、組立に手間がかかる。また、制御基板１に硬質のプリント基板を用いているため、全体的な厚さが嵩張ってしまうことになる。
【０００６】
したがって、本発明の課題は、例えばメインパネルとサブパネルとを背合わせ状態に配置して使用する液晶表示装置において、液晶パネルと制御基板との接続箇所が少なくてよく、しかも全体の厚さをより薄くすることができるようにすることにある。
【０００７】
【課題を解決するための手段】
上記課題を解決するため、本願の第１発明は、第１および第２の少なくとも２枚の液晶パネルを含み、上記各液晶パネルを背合わせ状態に配置して、それらの観察方向を互いに反対向きとした液晶表示装置において、上記各液晶パネルの駆動部品が実装されたフレキシブル基板からなる制御基板を有し、上記制御基板の少なくとも異なる２辺からパネル接続片がそれぞれ一体的に引き出されており、上記第１液晶パネルおよび上記第２液晶パネルが上記制御基板の異なる面側に配置され、上記パネル接続片の各々が折り曲げられて対応する上記第１液晶パネルの端子部と上記第２液晶パネルの端子部とに接続されていることを特徴としている。
【０００８】
上記第１液晶パネルの観察面と上記第２液晶パネルの観察面を反対向きとするため、本願の第１発明には、上記各パネル接続片が上記制御基板の隣接する２辺から引き出されており、その内の一方のパネル接続片がＬ字状に形成されていて、その根元部分から上記制御基板のいずれか一方の面側に折り曲げられている態様が含まれてよい。
【０００９】
また、上記各パネル接続片が上記制御基板の隣接する２辺から引き出されており、その内の一方のパネル接続片が途中でＬ字状に折り曲げられ、さらにその根元部分から上記制御基板のいずれか一方の面側に折り曲げられている態様も本願の第１発明に含まれる。
【００１０】
別の態様として、本願の第２発明は、第１および第２の少なくとも２つの液晶パネルを含み、上記各液晶パネルを背合わせ状態に配置して、それらの観察方向を互いに反対向きとした液晶表示装置において、上記各液晶パネルの駆動部品が実装されたフレキシブル基板からなる制御基板を有し、上記制御基板には、その基板面内に上記第２液晶パネルを嵌合配置し得る開口部が穿設されているとともに、上記開口部の内縁と上記制御基板の外側辺とにパネル接続片がそれぞれ一体的に形成されており、上記第２液晶パネルが上記開口部内に配置され、その端子部に上記開口部内縁のパネル接続片が接続されており、上記第１液晶パネルは、その観察面を上記第１液晶パネルの観察面と反対向きとして上記制御基板のいずれか一方の面側に配置され、その端子部に上記外側辺のパネル接続片が折り曲げられて接続されていることを特徴としており、これによっても上記課題を解決することができる。
【００１１】
いずれにしても、パネル接続片は制御基板と一体であるから、そのパネル接続片に液晶パネルを接続すればよく、上記従来例に比べて接続箇所を半分とすることができる。また、制御基板がフレキシブル基板であるため、硬質プリント回路基板を使用する上記従来例に比べて全体厚さをより薄くすることが可能となる。
【００１２】
【発明の実施の形態】
次に、図１ないし図４を参照して、本発明のいくつかの実施形態について説明する。なお、各実施形態ともに、先の図５で説明した従来例と同じく折り畳み式携帯電話機用の液晶表示装置であって、メインパネルとしての第１液晶パネルＡと、サブパネルとしての第２液晶パネルＢとを備えている。
【００１３】
図１を参照して、第１実施形態に係る液晶表示装置は、第１液晶パネルＡと第２液晶パネルＢとに共用される制御基板１０を備えているが、制御基板１０はフレキシブル基板からなり、図示されていないが、制御基板１０には液晶を駆動するのに必要なチップ部品などが実装されている。
【００１４】
この第１実施形態においては、図１（ａ）に示すように、制御基板１０の対向する２辺からパネル接続片１１，１２が所定長さをもって一体に引き出されており、一方のパネル接続片１１に第１液晶パネルＡの端子部Ａｔが接続され、他方のパネル接続片１２に第２液晶パネルＢの端子部Ｂｔが接続されている。
【００１５】
その接続手段は、異方性導電膜，異方性導電接着材もしくははんだ付けなどであってよく、特に制限はない。また、この第１実施形態を含めて以下に説明する他の実施形態においても、各液晶パネルＡ，Ｂは端子部Ａｔ，Ｂｔに液晶駆動用の例えばベアチップを搭載してなるＣＯＧ（Ｃｈｉｐ  Ｏｎ  Ｇｌａｓｓ）型の液晶パネルである。
【００１６】
図１（ｂ）に示すように、第１液晶パネルＡと第２液晶パネルＢは、パネル接続片１１，１２を折り曲げることにより、それらの各観察面が反対方向を向くように、制御基板１０の異なる面に重ねられる。
【００１７】
なお、この第１実施形態では、液晶パネルＡ，Ｂともに端子部Ａｔ，Ｂｔを有する基板が反観察面（裏面）側で、図１（ａ）に示すように、第１液晶パネルＡの端子部Ａｔがパネル接続片１１に対して上側から接続され、第２液晶パネルＢの端子部Ｂｔはパネル接続片１２に対して下側から接続されている。
【００１８】
そのため、図１（ｂ）において、第１液晶パネルＡが制御基板１０の上面側、これに対して第２液晶パネルＢが制御基板１０の下面側に配置されるが、端子部Ａｔ，Ｂｔを有する基板が観察面（表面）側である場合には、各液晶パネルＡ，Ｂが制御基板１０に対して図１（ｂ）とは反対側に配置されることになる。
【００１９】
次に、図２を参照して本発明の第２実施形態について説明する。この第２実施形態においても、制御基板２０はフレキシブル基板からなり、図２（ａ）に示すように、制御基板２０の隣接する２辺からパネル接続片２１，２２が一体に引き出されている。一方のパネル接続片２１は上記第１実施形態のパネル接続片１１と同じく真っ直ぐに引き出され、これには第１液晶パネルＡの端子部Ａｔが接続されている。
【００２０】
他方のパネル接続片２２はＬ字状に形成されており、その端部に第２液晶パネルＢが接続されている。この第２実施形態は、例えば携帯電話機器の収納スペースとの関係から、上記第１実施形態のように制御基板の対向する２辺からパネル接続片を引き出すことができないような場合に適用される。
【００２１】
この第２実施形態の場合、液晶パネルＡ，Ｂともに端子部Ａｔ，Ｂｔを有する基板が観察面（表面）側で、図２（ａ）に示すように、第１液晶パネルＡの端子部Ａｔがパネル接続片２１に対して上側から接続され、第２液晶パネルＢの端子部Ｂｔはパネル接続片２２に対して下側から接続されている。
【００２２】
そのため、図２（ｂ）に示すように、パネル接続片２２がその根元から折り曲げられて第２液晶パネルＢが制御基板２０の上面側に配置され、第１液晶パネルＡが制御基板２０の下面側に配置される。
【００２３】
なお、この第２実施形態では、パネル接続片２２がＬ字状に形成されているため、第１液晶パネルＡの端子部Ａｔと第２液晶パネルＢの端子部Ｂｔとが平行となる。したがって、特に液晶パネルＡ，Ｂがともにフルドットマトリクス表示である場合、それらの表示部の表示方向（上下あるいは左右方向）を揃えることができるため、表示制御を行いやすいという利点がある。
【００２４】
次に、図３を参照して本発明の第３実施形態について説明する。この第３実施形態においても、フレキシブル基板からなる制御基板３０を備え、図３（ａ）に示すように、制御基板３０の隣接する２辺からパネル接続片３１，３２が一体に引き出されている。
【００２５】
一方のパネル接続片３１は、上記第１実施形態のパネル接続片１１と同じく、真っ直ぐに引き出され、これには第１液晶パネルＡの端子部Ａｔが接続されている。この実施形態において、第１液晶パネルＡは端子部Ａｔを有する基板が反観察面側で、パネル接続片３１に対して端子部Ａｔが下側から接続されている。
【００２６】
この第３実施形態は上記第２実施形態の変形例に属するもので、他方のパネル接続片３２はＬ字状ではなく制御基板３０から真っ直ぐに引き出され、これに第２液晶パネルＢが接続されるが、上記第２実施形態と同様に、液晶パネルＡ，Ｂの端子部Ａｔ，Ｂｔを平行に配置し得るようにしたものである。
【００２７】
すなわち、パネル接続片３２は途中でＬ字状に折り曲げ可能な長さをもって制御基板３０から真っ直ぐに引き出され、その端部に第２液晶パネルＢが接続される。この実施形態において、第２液晶パネルＢも端子部Ｂｔを有する基板が反観察面側で、パネル接続片３２に対して下側から接続される。この状態のとき、液晶パネルＡ，Ｂの端子部Ａｔ，Ｂｔは直交状態にある。
【００２８】
第２液晶パネルＢをパネル接続片３２に接続した後、図３（ｂ）に示すように、パネル接続片３２をその途中でＬ字状に折り曲げる。そして、さらに図３（ｃ）に示すように、パネル接続片３２をその根元から制御基板３０の上面側に折り曲げる。また、パネル接続片３１を折り曲げて、第１液晶パネルＡを制御基板３０の下面側に配置する。
【００２９】
このようにして、パネル接続片３２を制御基板３０から真っ直ぐに引き出したとしても、図３（ｄ）に示すように、上記第２実施形態と同じく端子部Ａｔ，Ｂｔを平行として液晶パネルＡ，Ｂを反対向きに配置することができる。
【００３０】
なお、場合によっては、パネル接続片３２を短くし途中でＬ字状に折り曲げることなく、その根元から折り曲げて第２液晶パネルＢを制御基板３０のいずれかの面に配置してもよく、このような態様も本発明に含まれる。
【００３１】
この第３実施形態では、上記したように、パネル接続片３１，３２と各液晶パネルＡ，Ｂの端子部Ａｔ，Ｂｔとの接続面が同じ面内であるため、それぞれの接続を一括して行うことができるという利点がある。
【００３２】
次に、図４を参照して本発明の第４実施形態について説明する。この第４実施形態においても、制御基板４０はフレキシブル基板からなり、図４（ａ）に示すように、制御基板４０の１辺からパネル接続片４１が一体に引き出されており、これに第１液晶パネルＡの端子部Ａｔが接続されている。
【００３３】
この第４実施形態で、上記各実施形態と大きく異なっている点は、制御基板４０が、その面内に第２液晶パネルＢを嵌合配置し得る開口部４２を備えている点である。この開口部４２の１辺には、第２液晶パネルＢの端子部Ｂｔに接続されるパネル接続片４２ａが一体に連設されている。
【００３４】
この第４実施形態によれば、第２液晶パネルＢは開口部４２内に配置され、その端子部Ｂｔにパネル接続片４２ａが接続される。第１液晶パネルＡは、図４（ｂ）に示すように、パネル接続片４１を折り曲げることにより、第２液晶パネルＢの観察面とは反対側に配置される。
【００３５】
なお、液晶パネルＡ，Ｂの端子部Ａｔ，Ｂｔを平行とするため、パネル接続片４２ａは、制御基板４０のパネル接続片４１が引き出されている辺と平行関係にある開口部４２の内縁に形成されていることが好ましい。また、場合によっては、開口部４２をいわゆる抜き孔ではなく、制御基板４０のパネル接続片４１を有する辺以外の辺から切り込みを入れた凹溝状としてもよい。
【００３６】
以上、本発明を上記第１ないし第４実施形態について説明したが、液晶パネルの枚数は２枚に限られない。例えば、上記第１ないし第３実施形態において、フレキシブルな制御基板の３辺から折り曲げ可能なパネル接続片を引き出し、その各々に液晶パネルを接続してパネル接続片を折り曲げることにより、制御基板の一方の面に１もしくは２枚の液晶パネルを配置し、制御基板の他方の面に残りの液晶パネルを配置することもできる。また、液晶パネルが透過型もしくは半透過型の場合には、その液晶パネルと制御基板との間にバックライトを配置することもできる。
【００３７】
【発明の効果】
以上説明したように、本発明によれば、少なくとも２枚の液晶パネルを背合わせ状態に配置するにあたって、各液晶パネルに共用される制御基板をフレキシブル基板とし、その制御基板からパネル接続片を一体に引き出し、その各々のパネル接続片に液晶パネルを接続するようにしたことにより、液晶パネルと制御基板との接続箇所が少なくてよく、しかも制御基板がフレキシブル基板であることから、全体の厚さをより薄くすることができる。
【図面の簡単な説明】
【図１】本発明の第１実施形態を説明するための模式図。
【図２】本発明の第２実施形態を説明するための模式図。
【図３】本発明の第３実施形態を説明するための模式図。
【図４】本発明の第４実施形態を説明するための模式図。
【図５】従来例をを説明するための模式図。
【符号の説明】
１０，２０，３０，４０  制御基板
１１，１２，２１，２２，３１，３２，４１，４２ａ  パネル接続片
４２  開口部
Ａ，Ｂ  液晶パネル
Ａｔ，Ｂｔ  端子部
【図１】
0004027139.tif 000002
【図２】
0004027139.tif 000003
【図３】
0004027139.tif 000004
【図４】
0004027139.tif 000005
【図５】
0004027139.tif 000006